(57)【特許請求の範囲】
【請求項１】
局側装置と複数の光加入者線端局装置との間を、光カプラを介して光伝送路によりそれぞれ接続し、光信号によりデータ伝送を行うＰＯＮシステムに於いて、
前記局側装置は、前記複数の光加入者線端局装置との間の光信号によるバーストデータの送受信手段と、順次指定した前記光加入者線端局装置にＲＴＴ要求メッセージを送信し、該ＲＴＴ要求メッセージを受信した前記光加入者線端局装置からのＲＴＴ測定応答メッセージを受信して、該指定した光加入者線端局装置との間の光信号による伝送時間を測定する伝送時間測定手段と、該伝送時間測定手段により測定した前記光加入者線端局装置対応の伝送時間を基に、前記光加入者線端局装置対応の送信バーストヘッダ長と送信同期パターン値を求めて、対応する光加入者線端局装置に通知する手段と、前記光加入者線端局装置からの受信バーストデータのエラーレートを測定するエラーレート測定手段と、該エラーレート測定手段により測定したエラーレートを基に前記光加入者線端局装置の送信バーストヘッダ長と送信同期パターン値の修正通知を行うバーストヘッダ長変更指示手段とを含む構成を備え、
前記光加入者線端局装置は、前記局側装置との間の光信号による送受信手段と、前記局側装置の前記伝送時間測定手段による前記ＲＴＴ要求メッセージに従った前記ＲＴＴ測定応答メッセージを送出する応答手段と、前記局側装置から通知されたバーストヘッダ長と送信同期パターン値とに従ってバーストヘッダを生成し、該バーストヘッダを付加したバーストデータフレームを前記局側装置に送信する手段とを含む構成を備えた
ことを特徴とするＰＯＮシステム。
【請求項２】
局側装置と複数の光加入者線端局装置との間を、光カプラを介して光伝送路により接続して、光信号によりデータ伝送を行う伝送制御処理方法に於いて、
前記局側装置は、選択した前記光加入者線端局装置に対してＲＴＴ要求メッセージを送信し、該ＲＴＴ要求メッセージに対する前記光加入者線端局装置からのＲＴＴ測定応答メッセージを受信して、該ＲＴＴ測定応答メッセージの送信時刻情報による送信時刻と、該ＲＴＴ測定応答メッセージの受信時刻とにより、前記局側装置と前記光加入者線端局装置との間の伝送時間を求め、該伝送時間について標準値に対する大小比較結果に対応したバーストヘッダ長の長短を求め、求めた該バーストヘッダ長を初期値として、該初期値を、前記光加入者線端局装置にバーストヘッダ長通知メッセージにより通知する処理過程を含み、
前記光加入者線端局装置は、前記局側装置からの前記バーストヘッダ長通知メッセージにより通知されたバーストヘッダ長に従った長さのバーストヘッダを付加したバーストデータフレームを前記局側装置に送信する処理過程を含み、
且つ前記局側装置は、前記光加入者線端局装置からの前記バーストデータフレームを受信して、該バーストデータフレームのバーストデリミタの受信検出の可否及びエラーレート測定を行う処理過程と、該処理過程に於けるエラーレート測定結果が低エラーレートの場合はバーストヘッダ長の短縮、高エラーレートの場合及びバーストデリミタ検出不可の場合はバーストヘッダ長の延長の処理を行うバーストヘッダ長再計算処理過程と、該バーストヘッダ長再計算処理過程により求めた送信バーストヘッダ長と送信同期パターン値を前記光加入者線端局装置にバースト長通知メッセージにより通知する処理過程とを含む
ことを特徴とする伝送制御処理方法。
【発明の詳細な説明】
【技術分野】
【０００１】
本発明は、ネットワーク側の局側装置（ＯＬＴ；Ｏｐｔｉｃａｌ  Ｌｉｎｅ  Ｔｅｒｍｉｎａｌ）と、複数の加入者側の端局装置（ＯＮＵ；Ｏｐｔｉｃａｌ  Ｎｅｔｗｏｒｋ  Ｕｎｉｔ）との間で、光信号により光カプラを介して送受信を行うＰＯＮシステム及び伝送制御処理方法に関する。
【背景技術】
【０００２】
光信号により光カプラを介して送受信するＰＯＮ（Ｐａｓｓｉｖｅ  Ｏｐｔｉｃａｌ  Ｎｅｔｗｏｒｋ）システムは、ＩＥＥＥ（Ｉｎｓｔｉｔｕｔｅ  ｏｆ  Ｅｌｅｃｔｉｉｃａｌ  ａｎｄ  Ｅｌｅｃｔｒｏｎｉｃ  Ｅｎｇｉｎｅｅｒｉｎｇ）に於いて、Ｇｂｐｓオーダの伝送速度のＧＥ−ＰＯＮが標準化され、ＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ−Ｔｅｌｅｃｏｍｍｕｎｉｃａｔｉｏｎ  Ｓｔａｎｄａｒｄｉｚａｉｏｎ  Ｓｅｃｔｏｒ）のＧ９８４によりＧ−ＰＯＮが標準化された。このようなＰＯＮシステムに於いては、局側装置（ＯＬＴ；Ｏｐｔｉｃａｌ  Ｌｉｎｅ  Ｔｅｒｍｉｎａｌ）と、複数の光加入者線端局装置（ＯＮＵ；Ｏｐｔｉｃａｌ  Ｎｅｔｗｏｒｋ  Ｔｅｒｍｉｎａｌ）との間を、光カプラを介して光伝送路により接続し、時分割多重化伝送と同様な伝送方式により相互間で光信号により各種の情報伝送を行うものであり、各光加入者線端局装置（以下「ＯＮＵ」と略称する）は、局側装置（以下「ＯＬＴ」と略称する）から指定された送信タイミングに従って所定長のデータをバースト光信号により送信する。その場合に、各ＯＮＵからの送信タイミングが相違するようにＯＬＴから指定するから、光カプラに於いて時分割多重化された状態でＯＬＴへ送信される。又ＯＬＴからは、各ＯＮＵを指定するアドレスを付加したデータを時分割多重化して光信号により送信し、光カプラを介して各ＯＮＵに同一のフレームとして分配されることになり、各ＯＮＵは、自アドレスが付加されたデータを分離して受信処理する。又伝送速度は、前述のＧＥ−ＰＯＮはＧｂｐｓオーダであったが、更に高速化した１０Ｇｂｐｓオーダの伝送速度の１０Ｇ−ＰＯＮ又は１０Ｇ−ＥＰＯＮ（１０Ｇｉｇａ−Ｅｔｈｅｒｎｅｔ（登録商標）−Ｐａｓｓｉｖｅ  Ｏｐｔｉｃａｌ  Ｎｅｔｗｏｒｋ）として標準化された。
【０００３】
この１０Ｇ−ＥＰＯＮについて、ＩＥＥＥ８０２．３ａｖにより規定されたＯＮＵからＯＬＴに対するバーストフレームの送信フォーマットの要部を図４に示す。同図に於いて、ＬａｓｅｒＯｎは光信号を出力する半導体レーザーダイオードの発光立上り期間、ＢＨは同期パターンＳＰ（Ｓｙｎｃｈｒｏｎｉｚａｔｉｏｎ  Ｐａｔｔｅｒｎ）とバーストデリミタ（Ｂｕｒｓｔ  Ｄｅｌｉｍｉｔｅｒ）ＢＤとを含むバーストヘッダ（Ｂｕｒｓｔ  Ｈｅａｄｅｒ）、ＮＦＥＣＣＷはＮ個のデータＦＥＣＣＷ０〜ＦＥＣＣＷＮを含むバーストデータ、ＥＯＢはバースト終了デリミタ（Ｅｎｄ  Ｏｆ  Ｂｕｒｓｔ）、ＬａｓｅｒＯｆｆは半導体レーザーダイオードの発光立下り期間を示す。バーストデータＮＦＥＣＣＷの各データＣＷＦＥＣＣＷ０〜ＦＥＣＣＷＮは、２２３バイトのデータｄａｔｅと、リードソロモン符号化方式（ＲＳ（２５５，２２３））による３２バイトのパリティＰＴＹとを含む場合を示す。先頭のバーストヘッダＢＨと後尾のバースト終了デリミタＥＯＢとはエラーチェックコードを含まない構成であり、又バーストヘッダＢＨの同期パターンＳＰによりクロック再生を行い、そのクロックを基にデータフレームＮＦＥＣＣＷの受信処理を行うものである。
【０００４】
又ＯＬＴから各ＯＮＵに割り当てる送信タイミングを等間隔となるように指定する場合が一般的であり、その場合は、各ＯＮＵの送信情報量はそれぞれ同一となる。又送信情報量が多いＯＮＵからの要求により、ＯＬＴは、要求ＯＮＵに対する送信タイミングを繰り返し指定するか、又は送信許容時間を長くする指定を行うことが考えられる。何れの場合も、それぞれ所定長の送信データにバーストヘッダ等を付加することになり、特に連続した送信許容時間内の複数の送信データにそれぞれ同一のバーストヘッダ等を付加すると、同一のバーストヘッダを繰り返し送信することになって無駄な送信時間を要することになる。そこで、送信データを連結してその前後にバーストヘッダ等と共に連結情報量を示す情報を付加することにより、伝送効率を向上させる手段が提案されている（例えば、特許文献１参照）。
【０００５】
又各ＯＮＵは、それぞれ分散配置されたシステム構成が一般的であり、従って、ＯＬＴとの間の距離はそれぞれ相違する。このように分散配置された各ＯＮＵのＯＬＴからの距離の差は、例えば、数ｋｍ程度が許容値となっている。従って、ＯＬＴと各ＯＮＵとの間の距離がそれぞれ相違することにより、ＯＬＴ及び各ＯＮＵの送信光レベルを同一としても、伝送距離に対応した減衰により、ＯＬＴに於いては、ＯＮＵ対応の受信光信号レベルがそれぞれ相違することになる。従って、ＯＬＴの受信機能部は、自動利得制御手段により、各ＯＮＵ対応の受信光信号レベルをそれぞれほぼ同一レベルとなるように増幅して、ＯＮＵ対応の受信光信号についての受信処理を行うことになる。そこで、ＯＬＴは、各ＯＮＵ対応のＯＬＴからの受信光レベル情報を収集し、基準受信光レベルに対する各ＯＮＵ対応の減衰率αを求め、各ＯＮＵ対応の光送信レベルを１／α倍とするように指示する。それにより、ＯＬＴに於ける各ＯＮＵからの受信光信号レベルはほぼ同一となり、自動利得制御手段の構成を簡単化し、且つ誤り率改善を図ることができる手段が提案されている（例えば、特許文献２参照）。
【０００６】
又図４に示すようなバースト光信号を受信処理する１０Ｇ−ＥＰＯＮ等に於いて、所定の長さのバーストヘッダＢＨの同期パターンＳＰを受信検出して同期確立を行う必要があるが、バーストデリミタＢＤの受信までに同期パターンＳＰを正常に受信できない場合、同期確立ができないことにより、その後のデータフレームＮＦＥＣＣＷを受信処理することができなくなる。そこで、複数のバッファを設けて、受信したバーストヘッダＢＨを各バッファに対して順次１ビット分シフトした状態として受信格納し、各バッファに受信蓄積した同期パターンＳＰについて同期確立処理を行うことにより、単一の受信パターンのみによる場合に比較して同期引込みの確率を高くする手段が提案されている（例えば、特許文献３参照）。
【先行技術文献】
【特許文献】
【０００７】
【特許文献１】特開２００３−０６９５９１号公報
【特許文献２】ＷＯ９８／１３９５９号公報
【特許文献３】特開２００８−６７２５２号公報
【発明の概要】
【発明が解決しようとする課題】
【０００８】
ＰＯＮシステムに於いて、１０Ｇ−ＥＰＯＮ等のように、バーストデータの伝送速度の増大により、バーストデータの受信同期処理が容易でなくなる。例えば、ＯＬＴに対して光カプラを介して接続された複数のＯＮＵの伝送距離がそれぞれ相違し、且つ総てが完全同一の特性を有するものでないことにより、ＯＬＴに於いて受信する各ＯＮＵからのバーストフレームの受信品質はそれぞれ相違する。このような場合のＯＬＴに於ける受信レベルの相違については、前述の特許文献２に示されているように、ＯＬＴから各ＯＮＵに対して送信レベルを指示し、ＯＬＴに於ける受信レベルを略同一とすることが可能である。しかし、受信レベルが所望値であっても、強度変調された受信光信号の消光比が、光伝送路の伝送特性による影響によって、“１”，“０”の反転頻度が低下した状態となり、クロック抽出が困難となる。例えば、同期パターンＳＰは、６６ビット構成の０ｘＢＦ４０１Ｅ５Ｃ５４９ＢＢ５９とする規格があり、伝送品質の低下により、図４に示すバーストヘッダＢＨの同期パターンＳＰの期間内にクロック同期引込みができない場合が生じて、バーストデリミタＢＤの検出も不可能となり、それ以降のデータの受信処理が不可能となる問題がある。
【０００９】
又バーストヘッダＢＨを受信して、１ビット分対応にシフトした状態で複数のバッファに順次蓄積し、各バッファの内容を基に同期引込みを行う手段が、前述の特許文献３により提案されているが、複数のバッファとバッファ対応の同期引込みの手段とを備える必要があり、コストアップとなる問題がある。又光信号の伝送特性の低下等による伝送品質の劣化時には、救済することができない問題がある。このバーストヘッダＢＨの期間を延長すれば同期引込みの機会が増加するが、最大長ＴＢＨｍａｘ（μｓ）は、次式に示す条件がある。
ＴＢＨｍａｘ＝Ｔｏｎ＋Ｔｒｅｃｅｉｖｅｒ＿ｓｅｔｔｌｉｎｇ＋Ｔｃｄｒ≦１．７
なお、Ｔｏｎは半導体レーザの起動時間の最大値で５１２ｎｓ、Ｔｒｅｃｅｉｖｅｒ＿ｓｅｔｔｌｉｎｇは受信光信号を電気信号に変換する光電変換部の安定化に要する時間で、その最大値は８００ｎｓ、Ｔｃｄはクロック抽出に要する時間で、その最大値は４００ｎｓである。従って、バーストヘッダＢＨの長さを延長するには限度がある。又バーストデリミタＢＤは、誤り訂正符号ＦＥＣ（Ｆｏｒｗａｒｄ  Ｅｒｒｏｒ  Ｃｏｒｒｅｃｔｉｏｎ）を含まない構成であり、このバーストデリミタＢＤの検出ができなかった場合、その後のデータの受信識別が不可能となる。なお、バーストヘッダＢＨの長さを短縮することが可能であれば、ＯＮＵに対して割当てた送信可能期間内で送信するデータ伝送量を増加することが可能である。
【００１０】
本発明は、前述の従来例の問題点を解決することを目的とし、ＯＬＴに光カプラを介して接続された複数のＯＮＵに対する受信同期確立を容易とすると共に、バーストヘッダＢＨ長を可能の限り短縮して、データ伝送量の増大を図るものである。
【課題を解決するための手段】
【００１１】
本発明のＰＯＮシステムは、局側装置と複数の光加入者線端局装置との間を、光カプラを介して光伝送路によりそれぞれ接続し、光信号によりデータ伝送を行うＰＯＮシステムに於いて、前記局側装置は、前記複数の光加入者線端局装置との間の光信号によるバーストデータの送受信手段と、順次指定した前記光加入者線端局装置にＲＴＴ要求メッセージを送信し、該ＲＴＴ要求メッセージを受信した前記光加入者線端局装置からのＲＴＴ測定応答メッセージを受信して、該指定した光加入者線端局装置との間の光信号による伝送時間を測定する伝送時間測定手段と、該伝送時間測定手段により測定した前記光加入者線端局装置対応の伝送時間を基に、前記光加入者線端局装置対応の送信バーストヘッダ長と送信同期パターン値を求めて、対応する光加入者線端局装置に通知する手段と、前記光加入者線端局装置からの受信バーストデータのエラーレートを測定するエラーレート測定手段と、該エラーレート測定手段により測定したエラーレートを基に前記光加入者線端局装置の送信バーストヘッダ長と送信同期パターン値の修正通知を行うバーストヘッダ長変更指示手段とを含む構成を備え、前記光加入者線端局装置は、前記局側装置との間の光信号による送受信手段と、前記局側装置の前記伝送時間測定手段による前記ＲＴＴ要求メッセージに従った前記ＲＴＴ測定応答メッセージを送出する応答手段と、前記局側装置から通知されたバーストヘッダ長と送信同期パターン値との何れか一方又は両方に従ってバーストヘッダを生成し、該バーストヘッダを付加したバーストデータフレームを前記局側装置に送信する手段とを含む構成を備えている。
【００１３】
本発明の伝送制御処理方法は、局側装置と複数の光加入者線端局装置との間を、光カプラを介して光伝送路により接続して、光信号によりデータ伝送を行う伝送制御処理方法に於いて、前記局側装置は、選択した前記光加入者線端局装置に対してＲＴＴ要求メッセージを送信し、該ＲＴＴ要求メッセージに対する前記光加入者線端局装置からのＲＴＴ測定応答メッセージを受信して、該ＲＴＴ測定応答メッセージの送信時刻情報による送信時刻と、該ＲＴＴ測定応答メッセージの受信時刻とにより、前記局側装置と前記光加入者線端局装置との間の伝送時間を求め、該伝送時間について標準値に対する大小比較結果に対応したバーストヘッダ長の長短を求め、求めた該バーストヘッダ長を初期値として、該初期値を、前記光加入者線端局装置にバーストヘッダ長通知メッセージにより通知する処理過程を含み、前記光加入者線端局装置は、前記局側装置からの前記バーストヘッダ長通知メッセージにより通知されたバーストヘッダ長に従った長さのバーストヘッダを付加したバーストデータフレームを前記局側装置に送信する処理過程を含み、且つ前記局側装置は、前記光加入者線端局装置からの前記バーストデータフレームを受信して、該バーストデータフレームのバーストデリミタの受信検出の可否及びエラーレート測定を行う処理過程と、該処理過程に於けるエラーレート測定結果が低エラーレートの場合はバーストヘッダ長の短縮、高エラーレートの場合及びバーストデリミタ検出不可の場合はバーストヘッダ長の延長の処理を行うバーストヘッダ長再計算処理過程と、該バーストヘッダ長再計算処理過程により求めた送信バーストヘッダ長と送信同期パターン値を前記光加入者線端局装置にバースト長通知メッセージにより通知する処理過程とを含むものである。
【発明の効果】
【００１５】
局側装置によるＲＴＴ測定結果及びエラーレートを基に、光加入者線端局装置が送信するバーストデータフレームのバーストヘッダ長を求めて通知することにより、相互間の伝送条件が良い場合は、バーストヘッダ長を短くして、バーストデータの伝送可能時間を延長可能とし、伝送効率を向上することが可能となる利点があり、局側装置に比較的簡単な処理機能を付加するだけで済み、且つ運用中に於ける伝送条件の変化についても、再ＲＴＴ測定処理を含むバーストヘッダ長再調整処理を実行することが可能であるから、ＰＯＮシステムを安定に運用することができる利点がある。
【図面の簡単な説明】
【００１６】
【図１】本発明の実施例１の説明図である。
【図２】本発明の実施例１のシーケンスチャートである。
【図３】本発明の実施例１のフローチャートである。
【図４】ＯＮＵの送信バーストフレームの説明図である。
【発明を実施するための形態】
【００１７】
本発明のＰＯＮシステムは、図１を参照して説明すると、局側装置１と複数の光加入者線端局装置２０との間を、光カプラを介して光伝送路により接続したＰＯＮシステムであって、局側装置１は、光加入者線端局装置２０との間の光信号による送受信手段と、光加入者線端局装置との間の光信号による伝送時間測定手段と、この伝送時間測定手段による伝送時間を基に、光加入者線端局装置２０の送信バーストヘッダ長と送信同期パターン値との何れか一方又は両方を求めて、光加入者線端局装置２０に通知するＢＨ長／ＳＰ値変更指示部７等を含む手段と、エラーレート算出部８等を含む光加入者線端局装置２０からの受信バーストデータのエラーレート測定手段と、このエラーレート測定手段によるエラーレートを基に、光加入者線端局装置２０の送信バーストヘッダ長の修正通知を行う手段とを含む構成を有し、光加入者線端局装置２０は、局側装置１との間の光信号による送受信手段と、局側装置１の伝送時間測定手段による伝送時間測定要求メッセージに従って応答メッセージを送出する応答手段と、通知されたバーストヘッダ長と送信同期パターン値との何れか一方又は両方に従ってバーストヘッダを生成し、該バーストヘッダを付加したバーストデータフレームを送信するバーストデリミタ／ＳＰ挿入部２９等を含む手段とを備えている。
【００１８】
本発明の伝送制御処理方法は、局側装置１と複数の光加入者線端局装置２０との間を光カプラを介して光伝送路により接続して、光信号によりデータを伝送する伝送制御処理方法であって、局側装置１は、光加入者線端局装置２０に対してＲＴＴ要求メッセージを送信し、このＲＴＴ要求メッセージに対する光加入者線端局装置２０からのＲＴＴ測定応答メッセージを受信して、光加入者線端局装置２０との間の伝送時間を測定する過程と、この伝送時間の長短に対応したバーストヘッダ長の初期値を求めて、バーストヘッダ長の初期値を光加入者線端局装置２０へ通知する過程と、バーストヘッダ長の初期値によるバーストヘッダを付加したバーストデータフレームを光加入者線端局装置２０から送信し、このバーストデータフレームを受信してエラーレートを求め、バーストヘッダ長を再計算する過程と、再計算により求めたバーストヘッダ長を光加入者線端局装置２０に通知する過程を含むものである。
【実施例１】
【００１９】
図１は、本発明の実施例１の説明図であり、ＰＯＮシステムは、ＯＬＴと光カプラを介して複数のＯＮＵとを接続した構成を有するものであるが、その光カプラについて図示を省略し、ＯＬＴとＯＮＵとを光伝送路により対向接続した状態で、それぞれの主要部を示す。同図に於いて、１はＯＬＴ、２はＯ／Ｅ変換部、３はクロック抽出部及びＳ／Ｐ変換部、４はバーストデリミタ／ＳＰ検出部、５はＦＥＣ復号部、６は６４Ｂ／６６Ｂ復号部、７はＢＨ長／ＳＰ値変更指示部、８はエラーレート算出部、９はセレクタ（ＳＥＬ）、１０は６４Ｂ／６６Ｂ符号部、１１はＦＥＣ符号部、１２はＰ／Ｓ変換部、１３はＥ／Ｏ変換部、１４は制御部を示す。又２０はＯＮＵ、２１はＯ／Ｅ変換部、２２はクロック抽出部及びＳ／Ｐ変換部、２３はＦＥＣ復号部、２４は６４Ｂ／６６Ｂ復号部、２５はＢＨ長通知メッセージ解析部、２６は多重分離部（ＤＭＵＸ）、２７は６４Ｂ／６６Ｂ符号部、２８はＦＥＣ符号部、２９はバーストデリミタ／ＳＰ挿入部、３０はＰ／Ｓ変換部、３１はＥ／Ｏ変換部、３２は制御部を示す。
【００２０】
ＯＮＵ２０は、制御部３２により各部を制御し、図示を省略した端末装置等とＯＬＴ１との間の送受信処理を行うもので、端末装置等からのデータを受信して、６４Ｂ／６６Ｂ符号部２７により、６４ビットを６６ビット構成のデータに符号化し、ＦＥＣ符号化部２８によりリードソロモン符号化を行う。符号化処理等は並列データとして処理する場合を示し、従って、Ｐ／Ｓ変換部３０により並列直列変換により直列データに変換し、例えば、図４に示すフォーマットのバーストフレームとして、ＯＬＴ１から指示された送信時刻に従ってＥ／Ｏ変換部３１により光信号に変換し、ＯＬＴ１に対して光伝送路を介してバースト送信する。
【００２１】
又ＯＬＴ１は、制御部１４により各部を制御してＯＮＵ２０との間の送受信処理を行うものであり、光伝送路を介したＯＮＵ２０側から光信号によるバーストフレームを受信して、Ｏ／Ｅ変換部２により電気信号に変換し、クロック抽出部及びＳ／Ｐ変換部３によりクロック抽出と、直並列変換とを行い、バーストデリミタ／ＳＰ検出部４によりバーストフレームの先頭側のバーストデリミタと同期パターン（ＳＰ；Ｓｙｎｃｈｒｏｎｉｚａｔｉｏｎ  Ｐａｔｔｅｒｎ）とを検出し、ＦＥＣ復号部５へ転送する。このＦＥＣ復号部５は、（ＲＳ（２３９．２５５））として示すように、リードソロモン符号化されたデータを復号し、６４Ｂ／６６Ｂ復号部６により、６６ビットデータを６４ビット構成に復号して、上位レイヤ（図示を省略）へ転送する。なお、エラーレート算出部８は、受信バーストデータについて処理したバーストデリミタ／ＳＰ検出部４からのエラービット数及びＦＥＣフレーム廃棄の情報を基に、エラーレートを算出し、ＢＨ長／ＳＰ値変更指示部７へ通知する。このＢＨ長／ＳＰ値変更指示部７は、通知されたエラーレートを基にＯＮＵ２０に対するＢＨ長（バーストヘッダ長）又はＳＰ値（同期パターン値）変更指示のメッセージを作成して、セレクタ９を介してＯＮＵへの送信を行うものである。
【００２２】
又ＯＬＴ１のセレクタ９を介してＯＮＵ２０に対する上位レイヤ（図示を省略）からの送信データ又は前述のＢＨ長／ＳＰ値変更指示部７からのＢＨ長通知メッセージが入力され、６４Ｂ／６６Ｂ符号部１０により６４ビットを６６ビット構成に符号化し、ＦＥＣ符号部１１により、リードソロモン符号化し、符号化された並列データをＰ／Ｓ変換部１２により直列データに変換し、Ｅ／Ｏ変換部１３により光信号に変換して送信する。この場合、図示したＯＮＵ２０と、図示を省略した他の複数のＯＮＵとに対して、図示を省略した光カプラを介して送信するバーストデータは、時分割多重化光信号として送信するものであるが、ＯＬＴ１から複数のＯＮＵに対しては、“連続送信”として示すように、連続的に送信する状態となる。なお、ＯＮＵ２０から図示を省略した光カプラを介してＯＬＴ１に送信する場合は、各ＯＮＵ毎に所定のタイミングで送信するものであるから、“バースト送信”として示すように、所定のタイミングでバースト送信を行うことになる。
【００２３】
ＯＮＵ２０は、受信光信号をＯ／Ｅ変換部２１により電気信号に変換し、クロック抽出部及びＳ／Ｐ変換部２２によりクロック抽出と並列データへの変換とを行い、ＦＥＣ復号部２３によりリードソロモン符号化されたデータを復号し、６４Ｂ／６６Ｂ復号部２４により６６ビット構成のデータを６４ビット構成のデータに復号化し、ＢＨ長通知メッセージ解析部２５により、ＯＮＵ１から通知されたＢＨ長情報が含まれている場合、多重分離部２６により分離し、バーストデリミタ／ＳＰ挿入部２９に対して、ＢＨ長変更指示又はＳＰ値変更指示として通知する。それにより、バーストデリミタ／ＳＰ挿入部２９は、次に送信するバーストデータに付加するバーストヘッダＢＨ長の変更又は同期パターンＳＰの値変更を行う。又ＢＨ長変更指示／ＳＰ値変更指示が含まれていない通常の受信データの場合は、多重分離部２６を介して受信データとして、図示を省略している端末装置等へ転送する。
【００２４】
図２は、本発明の実施例１のＯＬＴとＯＮＵとの間のシーケンスチャートを示し、ＯＬＴからＯＮＵに対するバーストヘッダ長指示シーケンスの要部を示す。ＯＮＵの新規接続時又は所定期間毎又は伝送特性変化時等に於いて、図１に示すＯＬＴ１からＯＮＵ２０に対して、ＯＬＴ１は、制御部１４による制御によって、Ｅ／Ｏ変換部１３から光信号によるＲＴＴ（Ｒｏｕｎｄ  Ｔｒｉｐ  Ｔｉｍｅ）要求メッセージを送信する。このＲＴＴ要求メッセージによるＲＴＴの測定は、ＯＮＵの新規接続時等に於けるＯＬＴに対するＤｉｓｃｏｖｅｒｙ  Ｐｒｏｃｅｓｓとして既に周知となっている処理と同様である。以下図１に示すＯＬＴ１とＯＮＵ２０とを参照して説明する。ＯＬＴ１に於いては、ＲＴＴ測定時と同様に、制御部１４の制御に従って、６４Ｂ／６６Ｂ符号部１０と、ＦＥＣ符号部１１と、Ｐ／Ｓ変換部１２と、Ｅ／Ｏ変換部１３とを介してＲＴＴ要求メッセージを送出する。このＲＴＴ要求メッセージを受信したＯＮＵ２０は、制御部３２の制御処理により、Ｏ／Ｅ変換部２１と、クロック抽出部及びＳ／Ｐ変換部２２と、ＦＥＣ復号部２３と６４Ｂ／６６Ｂ変換部２４とを介して受信し、制御部３２へＲＴＴ要求メッセージを転送し、ＲＴＴ要求メッセージの内容を識別し、６４Ｂ／６６Ｂ符号部２７と、ＦＥＣ符号部２８と、バーストデリミタ／ＳＰ挿入部２９と、Ｐ／Ｓ変換部３０と、Ｅ／Ｏ変換部３１とを介して、送信時刻情報を付加したＲＴＴ測定応答メッセージを、ＯＬＴ１に対して送信する制御を行う。
【００２５】
ＯＬＴ１は、制御部１４によるＲＴＴ処理として、ＲＴＴ測定応答メッセージの受信時刻と、ＯＮＵ１０からの送信時刻情報とを基に、ＯＬＴ−ＯＮＵ間の伝送時間を求め、基準とした伝送時間との差に対応してバーストヘッダ長（ＢＨ長）の初期値を計算する。例えば、基準とした伝送時間より短い場合は、ＯＬＴ１に対するＯＮＵ２０までの距離が短く、伝送条件が良い場合と推定し、バーストヘッダ長（ＢＨ長）を基準値より短くする。反対に、基準とした伝送時間より長い場合は、ＯＬＴ１に対するＯＮＵ２０までの距離が長く、伝送条件が良くない場合と推定し、バーストヘッダ長（ＢＨ長）を基準値より長くする。この場合、バーストヘッダ長（ＢＨ長）の最大長は、前述のように、ＴＢＨｍａｘとして定められているから、これを超えない値とする。このようにして求めたバーストヘッダ長（ＢＨ長）の初期値を、ＢＨ長通知メッセージとしてＯＮＵ２０へ送信する。
【００２６】
ＯＮＵ２０は、ＢＨ長通知メッセージを受信して、ＢＨ長通知メッセージ解析部２５により解析し、バーストデリミタ／ＳＰ挿入部２９に、通知されたＢＨ長変更指示を転送する。このＢＨ長変更指示に基づいて、バーストデリミタ／ＳＰ挿入部２９は、ＢＨ長変更指示に従ったバーストヘッダＢＨを付加したバーストフレーム（ＳＰ＋ＢＤ＋ｄａｔａ）を作成して、Ｐ／Ｓ変換部３０を介してＥ／Ｏ変換部３１により電気信号に変換し、ＯＬＴ１へ送信する。ＯＬＴ１は、このバーストフレームを受信して、バーストデリミタ／ＳＰ検出部４によりバーストデリミタＢＤ及び同期パターンＳＰを検出し、且つデータｄａｔａのエラーチェックを行い、エラービット数をエラーレート算出部８へ転送し、エラーレートを求めてＢＨ長／ＳＰ値変更指示部７へ通知する。ＢＨ長／ＳＰ値変更指示部７は、通知されたエラーレートが許容値であるか否かにより、ＢＨ長変更又はＳＰ値変更をＯＮＵ２０に対して指示するものであり、ＢＨ長の設定処理の場合は、エラーレートが許容基準値に対する大小関係及び差分値を求め、その差分値に対応して、許容基準値に対してエラーレートが０を含む小さい値の場合は、バーストヘッダ長を短くし、エラーレートが大きい場合は長くする変更を指示する為のＢＨ長通知メッセージを作成してＯＮＵ２０に送信する。なお、ＢＨ長再計算結果、変更を要しない場合は、変更なしのメッセージをＯＮＵ２０に通知する処理とすることも可能であり、又変更の有無のメッセージの受信待ち時間を設定し、この設定した受信待ち時間経過により、先のＢＨ長の変更なしとして、その後の送信処理に移行することも可能である。
【００２７】
又ＯＮＵ２０は、ＯＬＴ１に於けるＢＨ長再計算結果のＢＨ長通知メッセージを受信すると、最初のＢＨ長通知メッセージを受信した場合と同様にして、バーストヘッダ長を変更したバーストフレーム（ＳＰ＋ＢＤ＋ｄａｔａ）をＯＬＴ１に送信する。ＯＬＴ１は、このバーストフレームを受信して、エラーレートが最初のエラーレートと大差なければ、バーストヘッダ長の設定処理を終了とする。又伝送径路が安定化されていない状態に於いては、ＯＬＴ１側のＢＨ長再計算によるＢＨ長通知メッセージ送信と、ＯＮＵ２０側のバーストフレームの再送信処理とを行うことも可能である。このようなバーストヘッダＢＨを、伝送条件の良いＯＮＵに対しては短くし、その分をデータ伝送割り当て時間とすることにより、伝送効率を向上することができる。
【００２８】
図３は、本発明の実施例１のフローチャートであり、ステップ（ａ）〜（ｈ）により、ＯＬＴに於ける処理を示し、受信信号の検出（ｓｉｇｎａｌ  ｄｅｔｅｃｔ）（ａ）により、同期パターンＳＰとバーストデリミタＢＤとを検索し（ｂ）、同期パターンＳＰ検出（１）、又は受信信号断或はバーストヘッダＢＨの最大時間経過（ｓｉｇｎａｌ  ｄｅｔｅｃｔ断／ＴＢＨｍａｘ）（２）の何れかの処理結果（ｃ）に応じて、次の処理に移行するものであり、同期パターンＳＰ検出（１）の場合は、バーストヘッダＢＨの最大時間内でバーストデリミタＢＤを検索し（ｄ）、バーストデリミタＢＤ検出（１）かタイムアウトＴｉｍｅ  ｏｕｔ（２）かを判定し（ｅ）、バーストデリミタＢＤ検出の場合は、エラーレートを算出し（ｆ）、低ビットエラーレート（低ＢＥＲ）（１）か、又は高ビットエラーレート（高ＢＥＲ）（２）かの何れかを判定し、低ビットエラーレート（１）の場合は、バーストヘッダＢＨ短縮（ｇ）、高ビットエラーレートの場合は、バーストヘッダＢＨ延長又は同期パターンＳＰ値変更（ｈ）とし、又ステップ（ｃ）に於いて、受信信号断又は最大時間経過の場合、ステップ（ｈ）に移行し、又ステップ（ｅ）に於いて、タイムアウトとなった場合も、ステップ（ｈ）に移行する。従って、ＯＮＵは、ＯＬＴとの間の伝送データのビットエラーレートが低い場合は、バーストヘッダＢＨを短縮し、データ伝送割り当て時間を増加して伝送効率を向上することが可能であり、又ビットエラーレートが高い場合は、バーストヘッダＢＨを、前述の最大長ＴＢＨｍａｘ（μｓ）又はそれ以下の長さに変更し、同期パターンＳＰの検出とクロック同期化を容易とし、バーストデータの受信エラーを回避することが可能となる。又同期パターンＳＰの値変更は、そのビットの“１”、“０”反転頻度を高くすることを示し、バーストデリミタＢＤ検出を確実として、フレームロスを低減することできる。
【符号の説明】
【００２９】
１  ＯＬＴ
２  Ｏ／Ｅ変換部
３  クロック抽出部及びＳ／Ｐ変換部
４  バーストデリミタ／ＳＰ検出部
５  ＦＥＣ復号部
６  ６４Ｂ／６６Ｂ復号部
７  ＢＨ長／ＳＰ値変更指示部
８  エラーレート算出部
９  セレクタ（ＳＥＬ）
１０  ６４Ｂ／６６Ｂ符号部
１１  ＦＥＣ符号部
１２  Ｐ／Ｓ変換部
１３  Ｅ／Ｏ変換部
１４  制御部
２０  ＯＮＵ
２１  Ｏ／Ｅ変換部
２２  クロック抽出部及びＳ／Ｐ変換部
２３  ＦＥＣ復号部
２４  ６４Ｂ／６６Ｂ復号部
２５  ＢＨ長通知メッセージ解析部
２６  多重分離部（ＤＭＵＸ）
２７  ６４Ｂ／６６Ｂ符号部
２８  ＦＥＣ符号部
２９  バーストデリミタ／ＳＰ挿入部
３０  Ｐ／Ｓ変換部
３１  Ｅ／Ｏ変換部
３２  制御部
【図１】
0005506421.tif 000002
【図２】
0005506421.tif 000003
【図３】
0005506421.tif 000004
【図４】
0005506421.tif 000005